(57)【要約】【課題】商用電源が不要であるので、移動が簡単にでき、さらに、従来のガラポンなどにない、音楽、音声、光（ＬＥＤランプ）で演出できる新規な抽選機を提供する。【解決手段】座台を有する基体を主体にして、正面から視覚可能に飾りのランプを配設したフロントプレートと、ランプの点滅移動並びに点滅抽選結果の表示とともにそれを表す音声メッセージを発するスピーカーと、ランプの点滅とスピーカーの音声を制御するマイコンを始めとする電子機器と、該ランプ、スピーカー、電子機器等の一連の装備を起動するに要する電力を得るゼンマイ式発電装置や手動発電装置、及び太陽光発電装置、更に、電池、バッテリー等の電源を具備したことを特徴とする。【選択図】    図１
0003135740.tif 000002
【実用新案登録請求の範囲】
【請求項１】
座台を有する基体を主体にして、正面から視覚可能に飾りのランプを配設したフロントプレートと、ランプの点滅移動並びに点滅抽選結果の表示とともにそれを表す音声メッセージを発するスピーカーと、ランプの点滅とスピーカーの音声を制御するマイコンを始めとする電子機器と、該ランプ、スピーカー、電子機器等の一連の装備を起動するに要する電力を得るゼンマイ式発電装置や手動発電装置、及び太陽光発電装置、更に、電池、バッテリー等の電源を具備したことを特徴とする音声発生装置付き抽選機。
【請求項２】
前面から操作可能にハンドルやレバーを備え、そのハンドルやレバーが手動発電装置などの駆動用であるか、若しくは、単なる飾りであるかのいずれかであることを特徴とする請求項１記載の音声発生装置付き抽選機。
【請求項３】
前記ランプ、スピーカー、マイコン等の一連の装備を起動するスイッチ又はレバーを設けたことを特徴とする請求項１記載の音声発生装置付き抽選機。
【請求項４】
人気を感知するセンサーを設け、センサーからの感知信号により、前記ランプ、スピーカー、電子機器等の一連の装備を起動するように構成したことを特徴とする請求項１記載の音声発生装置付き抽選機。
【請求項５】
ハンドルによる手動発電装置において、ハンドルの軸と発電機との間に、ハンドルの操作とともに接続となる自動離合クラッチと、その接続により機械エネルギーまたは位置エネルギーを蓄える蓄力装置とを介在させ、ハンドルから手を離して自動離合クラッチを切ることにより、蓄力装置から放出されるエネルギーにより発電機を駆動するように構成したことを特徴とする請求項１記載の音声発生装置付き抽選機。
【考案の詳細な説明】
【技術分野】
【０００１】
この考案は、例えば、商店、商店街の年末年始の福引や、大型スーパーにおける抽選会、メーカーの販促用のプレゼントの抽選などに使用される音声発生装置付き抽選機に関する。
【背景技術】
【０００２】
従来、上記のような各種行事に使用される抽選機としては、回転箱から抽選玉を出させるガラポンと称される八角抽選機を始めとして、コンピューター抽選機、つかみどり抽選機などの、新しく電子機器を利用した多目的抽選機が登場して来ている。
【考案の開示】
【考案が解決しようとする課題】
【０００３】
しかしながら、上記のような抽選機は、コンピューターやテレビモニターに多くの電力が必要で、通常は商用電源を使用している。その為に、電源がない場所での使用ができなく、移動も簡単にできないので、使用範囲が限定されていた。
【０００４】
この考案は、上記のような実情に鑑みて、商用電源が不要であるので、移動が簡単にでき、さらに、従来のガラポンなどにない、音楽、音声、光（ＬＥＤランプ）で演出できる新規な抽選機を提供することを課題とした。
【課題を解決するための手段】
【０００５】
上記の課題を解決するために、この考案は、座台を有する基体を主体にして、正面から視覚可能に飾りのランプを配設したフロントプレートと、ランプの点滅移動並びに点滅抽選結果の表示とともにそれを表す音声メッセージを発するスピーカーと、ランプの点滅とスピーカーの音声を制御するマイコンを始めとする電子機器と、該ランプ、スピーカー、電子機器等の一連の装備を起動するに要する電力を得るゼンマイ式発電装置や手動発電装置、及び太陽光発電装置、更に、電池、バッテリー等の電源を具備したことを特徴とする音声発生装置付き抽選機を提供するものである。
【０００６】
音声発生装置付き抽選機を上記のように構成したから、これを操作すると、ランプが華やかに点滅移動するとともにスピーカーから賑わしく音楽や音声等が発せられるので、期待をくすぐるように抽選機に神経が集中して楽しみとともに癒しとなり、ランプの表示による結果でその如何にかかわらず音声により元気が得られる。しかも、商用電気を使用しないので、何処においても使用できる。
【０００７】
手動発電装置を備えたときには、発電操作は、ハンドルやレバーによることができる（請求項２）。しかし、それらを単なる飾りとしても良く、そうしても、遊び心で人集めができる。
【０００８】
また、操作については、前記ランプ、スピーカー、マイコン（マイクロコンピューター）等の一連の装備を起動するスイッチ又はレバーを設ける場合（請求項３）もある。さらに、人気を感知するセンサーをスイッチ代わりに設け（請求項４）、センサーからの感知信号により、前記ランプ、スピーカー、電子機器等の一連の装備を起動するように構成することもある。
。
【０００９】
さらに、ハンドルによる手動発電装置において、ハンドルの軸と発電機との間に、ハンドルの操作とともに接続となる自動離合クラッチと、その接続により機械エネルギーまたは位置エネルギーを蓄える蓄力装置とを介在させ、ハンドルから手を離して自動離合クラッチを切ることにより、蓄力装置から放出されるエネルギーにより発電機を駆動するように構成すると（請求項５）、ハンドル操作を終えて視聴に堪能でき、操作も容易である。
【考案の効果】
【００１０】
以上説明したように、この考案の音声発生装置付き抽選機によれば、商用電源が不要であるので、催し等の各種会場や商店街等に自由に移動して簡単に使用でき、しかも、従来のガラポンなどにない、音楽、音声、光（ＬＥＤランプ）で演出できので、使用者に楽しみを与え、会場の雰囲気を高めることがでるという優れた効果がある。
【考案を実施するための最良の形態】
【００１１】
次に、この考案を図面に基づいて説明する。
【００１２】
図面は、この考案の一実施の形態を示したもので、その音声発生装置付き抽選機は、アルミ形材で枠組みされる座台２の前端に同じくアルミ形材からなる左右一対の支柱３，３を立設することにより基体１を構成し、基体１の前面に抽選結果を表示するフロントプレート４を止めてある。また、基体１の上部には両支柱３，３に止めて背後へ主ボックス５を突設し、主ボックス５の前面にそれよりも小径の副ボックス７が突設され、さらにそれがフロントプレート４の前面より突出している。そして、この副ボックス７の突出先端の中心に円板状のハンドル９が軸支される。なお、フロントプレート４の背後に主ボックス５を被覆するカバー１１が設けられ、フロントプレート４の上端には起立板１３が連設される。
【００１３】
フロントプレート４には、ハンドル９の軸を中心とする周囲に多数のＬＥＤランプ１５，１５，・・が配設され、下端部にはスピーカー１６が設けられている。そして、これらランプ１５の点滅やスピーカー１６の音声発生を始め、それらを起動するマイコン等の電力を賄うために、ハンドル９による手動発電装置１０が設けられる。そして、ハンドル操作に惑わされることなく楽しく見聞きできるように、ハンドル９の操作とコンピューター等の起動（発電）との間に、次に記すような使い方からも解かるように、タイミングのずれが設けられる仕組みとなっている。これは、電力については、手動発電装置１０によることとしたからである。しかし、バッテリーや電池によることとしてもこの考案の趣旨に反するものではない。
【００１４】
使い方については、次の通りである。
（１）  ハンドル９を定められた回数（例えば８回）以上廻す。
（２）  手を離すと、自動的にランプ１５が点滅するとともに、スピーカー１６から音声が発せられて抽選が始まる。
（３）  これについては、音楽やブザーのリズムに乗り、ルーレットのようにランプ１５の点滅が移動する。
（４）  しばらくすると（５〜１５秒）、そのランプ１５の移動が停止する。
（５）  その停止した場所の抽選結果を音楽で案内する。
例えば、「やったー！  １等賞おめでとう！」や、「２等賞、ラッキー！」、「残念！  またチャレンジしてね！」などである。
したがって、子供達や視覚障害者にも解りやすく親切である。
【００１５】
これらをコンピューター制御するために、主ボックス５には、電気制御ボード１７、音声再生ボード１９、当たりＯＮ−ＯＦＦスイッチ２１、リセットスイッチ２３等が搭載される。
【００１６】
電気制御ボード１７は、マイコンなどを搭載して、全ての電気部品を制御している。つまり、ランプ１５の点滅移動や、点滅の仕方、音声ボードの制御、各種のスイッチの管理や抽選の方法などである。抽選の方法については、例えば、抽選が５０回で、一等賞が２本、二等賞が４本、その他が残念賞とする。確率に基づき制御し、さらに、抽選の結果もカウントして、必ず設定数になるようにする。
【００１７】
音声再生ボード１９は、各種の音声や録音・再生が可能な装置である。抽選結果の音声が登録されていて、指定された音声で抽選結果を案内する。
【００１８】
当たりＯＮ−ＯＦＦスイッチ２１は、主催者の都合や催事、景品の事情により、抽選の内容が変更される場合が想定されることを考慮したもので、例えば、抽選が５０回で通常一等賞が２本だが、一本に変更された場合は１本でたらＯＦＦにする。
【００１９】
リセットスイッチ２３は、抽選を初期状態に戻したい場合に起動する。例えば、一等賞や二等賞が全て当たったために、抽選をする意味がない場合などに利用する。
【００２０】
手動発電装置１０は、ハンドル９と、ハンドル操作と同時に結合する自動離合クラッチ２５と、それを介して伝達されたハンドル９の回転力を一時的に蓄える蓄力装置２７と、その主軸２８に蓄えられた力の放出により駆動される発電機２９とから構成される。なお、主軸２８と発電機２９との間にカップリング３０が介在しているが、これは省くことが可能である。２９ａは発電機２９の変速機である。
【００２１】
自動離合クラッチ２５は、副ボックス７に内装され、ハンドル９による駆動側に駆動のためのトルクが加われば、蓄力装置２７に対して自動的にクラッチが連結し、ハンドル９を放すと、自動的にクラッチが切り離れるようにしたもので、ハンドル９により回転される駆動軸３１と、被動軸としての主軸２８との間の離合（連結／遮断）として実施される。そして、クラッチ機構の駆動側は、後に具体的に説明するように、傾斜溝３５と案内突子３７との係合により作動し、それにコイルスプリング４３が関係するようになっている。なお、この発明において、自動離合クラッチ２５の構造はこれに限定されるものではない。
【００２２】
この実施形態による自動離合クラッチ２５については、駆動軸３１を中心にそれを囲むように、副ボックス７の前面壁４４に円筒形の外枠３９が固定され、外枠３９の中において押しブッシュ４１が駆動軸３１に嵌まり、外枠３９と押しブッシュ４１との間にコイルスプリング４３が介在し、それがハンドル９側へ（開離側へ）押しブッシュ４１を引き戻しに常時付勢している。そのため、コイルスプリング４３の一方の掛止リング４６が駆動軸３１の回転に対してフリーとなっている。
【００２３】
前記した傾斜溝３５と案内突子３７との関係は、作用的には言わば雌ねじと雄ねじとの関係と同じであって、傾斜溝３５は、押しブッシュ４１の内周面に押し前進方向へ反時計回りの螺進に沿った斜めに形成され、案内突子３７は、駆動軸３１の外周面に突設され、クラッチが切り離された状態において（図１，図３）、傾斜溝３５の先方端に位置している。なお、案内突子３７は、前後方向の位置については常時一定である。そこで、クラッチが解離された図１，図３の状態においてハンドル９により駆動軸３１を時計回りに回転すると、案内突子３７が押しブッシュ４１内周面の傾斜溝３５の基端に至ることによって、押しブッシュ４１をコイルスプリング４３の弾力に抗して前進させる一方、傾斜溝の基端で掛止することにより駆動軸３１とともに押しブッシュ４１を回転させるので、ハンドル９を回すと（少しの間をおいて）直ぐにクラッチが連結する。
【００２４】
クラッチの連結構造については、押しブッシュ４１の先端に駆動プレート４５が鍔状に一体成形されており、その前面の外周縁部に沿って数個の摩擦材３５，４５，４５が配設されている。一方、副ボックス７に出ている主軸２８の基端には被動ディスク４７が取り付けられているので、摩擦材４６，４６，４６がそれに接触することによりクラッチ接続がなされる。なお、駆動軸３１は、一端でのみ軸承されているので、それに嵌まる押しブッシュ４１を支持するために、駆動プレート４５の外周面に接触する数個のフリクションローラ５１，５１，５１が配置されている。
【００２５】
上記したように、案内突子３７が傾斜溝３５の基端に掛止（停止）することにより駆動軸３１から押しブッシュ４１に回転力が伝達される（第１接合）。しかし、必ずしもこのような掛止による必要はない。つまり、摩擦材４６，４６，４６が被動ディスク４７に接触して停止すると、この停止により案内突子３７が傾斜溝３５の一定箇所に固定化されるから、これが掛止と同じ作用となり駆動軸３１から押しブッシュ４１へ回転が伝達される（第２接合）からである。図示の場合は第１第２両接合による。なお、第２接合によることにすれば、駆動軸３１と押しブッシュ４１とは雌雄ねじ結合によっても良い。次に、主ボックス５内の構造について説明する。
【００２６】
主ボックス５では、副ボックス７との間に位置する基板５３に対して副基板５５が、副基板５５に対して副々基板５６がそれぞれ間を隔てて設けられている。蓄力装置２７については、ゼンマイバネ４０に機械エネルギーを蓄え得るように、基板５３と副基板５５との間に、主軸２８を中心とするリング状のゼンマイホルダー５７を介在させ、主軸２８とゼンマイホルダー５７とにゼンマイバネ４０の端がそれぞれ掛止されている。
【００２７】
そこで、ハンドル９の回転により自動離合クラッチ２５を介して主軸２８が時計回りに回転されると、ゼンマイバネ４０に弾力が蓄積されるので、ハンドル９から手を離すと、自動離合クラッチ２５が切れることによって、主軸２８がゼンマイバネ４０の弾力により逆回転し、その回転がカップリング３０を介して発電機２９を駆動し発電がなされ、その電力で前記した電気制御ボード１７や音声再生ボード１９を起動させる結果、ランプ１５，１５，・・が点滅移動し、スピーカー１６から音声が発生し、前記したような抽選結果で終了し、リセット状態となる。５８がカウンターである。
【００２８】
以上とは別の実施形態として、電源として手動発電装置１０の代わりにバッテリーや電池を使用し、スイッチとしてそれ専用のハンドルやレバーの他、前を通る人を感知するセンサーを具備することもある等、この考案は、以上の実施形態に限られるものではない。
【００２９】
なお、上記と同様な考え方において、神社や寺院、あるいは人の集まる場所に置くものとして、フロントプレートにおみくじや占い等が表示されるようにすることができる。
【図面の簡単な説明】
【００３０】
【図１】この考案の音声発生装置付き抽選機を示す側面から見た断面図である。
【図２】同音声発生装置付き抽選機の正面図である。
【図３】同音声発生装置付き抽選機の要部を示す側面から見た拡大断面図である。
【符号の説明】
【００３１】
１  基体
２  座台
４  フロントプレート
９  ハンドル
１０  手動発電装置
１５  ランプ
１６  スピーカー
１７および１９  電子機器としての電気制御ボードおよび音声再生ボード
２５  自動離合クラッチ
２７  蓄力装置
２９  発電機
【図１】
0003135740.tif 000003
【図２】
0003135740.tif 000004
【図３】
0003135740.tif 000005